(57)【要約】【課題】  二次元符号が出力されることで、出力装置に出力されるべき画像が縮小されることを抑制する画像処理装置を提供することを目的とする。【解決手段】  記憶部材を含む非接触型素子１５０ａが添付された原稿１５０の第１画像を光学的に読取る画像読取部１０２と、記憶部材から原稿１５０の識別情報を読取る識別情報読取部１０４と、識別情報に応じた第２画像と第１画像とを合成して出力する場合に、第２画像の出力領域に応じて縮小される第１画像の大きさを復元して出力するように制御する出力寸法制御部１１０と、を有することを特徴とする。【選択図】  図２
2008172369.tif 000002
【特許請求の範囲】
【請求項１】
記憶部材を含む非接触型素子が添付された画像処理対象物の第１画像を光学的に読取る画像読取手段と、
前記記憶部材から前記画像処理対象物を識別する識別情報を読取る識別情報読取手段と、
前記識別情報に応じた第２画像と前記第１画像とを合成して出力する場合に、前記第２画像の出力領域に応じて縮小される前記第１画像の大きさを復元して出力するように制御する制御手段と、
を有することを特徴とする画像処理装置。
【請求項２】
記憶部材を含む非接触型素子が添付された記録媒体に、前記第１画像及び第２画像を含む合成画像の第２画像を削除するとともに、前記合成画像の大きさを復元して印刷する印刷手段と、
前記識別情報を前記記録媒体の記憶部材に書込む識別情報書込手段と、
をさらに有することを特徴とする請求項１に記載の画像処理装置。
【請求項３】
前記印刷手段は、前記記録媒体の大きさが前記画像処理対象物の大きさ相当である場合に、前記合成画像を、前記第１画像の大きさ相当で印刷することを特徴とする請求項２に記載の画像処理装置。
【請求項４】
第１画像と、記録媒体を識別する識別情報に応じた第２画像とを一体形成して出力する画像情報に対し、前記第２画像の出力を削除するとともに、前記第１画像を第２画像が印刷されるべき領域にまで拡大して前記記録媒体に印刷する印刷手段と、
前記識別情報を、前記記録媒体に添付される非接触型素子に含まれる記憶部材に書込む識別情報書込手段と、
を有することを特徴とする画像処理装置。
【請求項５】
記憶部材を含む非接触型素子が添付された画像処理対象物の第１画像を光学的に読取る画像読取手段と、前記記憶部材から前記画像処理対象物の識別情報を読取る識別情報読取手段と、前記第１画像に基づく画像情報及び識別情報を暗号化して送信する送信手段と、を備える第１の画像処理装置と、
前記画像情報及び識別情報を受信する受信手段と、記憶部材を含む非接触型素子が添付された記録媒体に、前記画像情報に基づく第１画像を、前記識別情報に応じた第２画像が印刷されるべき領域に触れて印刷する印刷手段と、前記識別情報を前記記憶部材に書込む識別情報書込手段と、を備える第２の画像処理装置と、
を有することを特徴とする画像処理システム。
【請求項６】
コンピュータを、
記憶部材を含む非接触型素子が添付された画像処理対象物の第１画像を光学的に読取る画像読取手段と、
前記画像処理対象物を識別する識別情報を前記記憶部材から読取る識別情報読取手段と、
前記識別情報に応じた第２画像と前記第１画像とを合成して出力する場合に、前記第２画像の出力領域に応じて縮小される前記第１画像の大きさを復元して出力するように制御する制御手段として機能させる画像処理プログラム。
【請求項７】
コンピュータを、
記憶部材を含む非接触型素子が添付された記録媒体に、前記第１画像及び第２画像を含む画像の第２画像を削除するとともに、前記合成画像の大きさを復元して印刷する印刷手段と、
前記識別情報を前記記憶部材に書込む識別情報書込手段としてさらに機能させる請求項６に記載の画像処理プログラム。
【発明の詳細な説明】
【技術分野】
【０００１】
本発明は、画像処理装置、画像処理システム及び画像処理プログラムに関する。
【背景技術】
【０００２】
二次元符号（以下、第２画像という。）の１つであるＱＲコード(Quick Response Code)を原稿上の画像（以下、第１画像という。）とともに記録用紙に複写する画像処理装置が知られている。例えば、特許文献１によれば、複写元となる原稿がＲＦＩＤタグ（Radio Frequency Identification tag）付き原稿である場合に、ＲＦＩＤタグからデータを読取り、当該データをＱＲコードとして記録用紙に描画している。
【特許文献１】特開２００２−３３７４２６号公報
【発明の開示】
【発明が解決しようとする課題】
【０００３】
本発明は、二次元符号が出力されることで、出力装置に出力されるべき画像が縮小されることを抑制する画像処理装置を提供することを目的とする。
【課題を解決するための手段】
【０００４】
請求項１に記載の発明は、記憶部材を含む非接触型素子が添付された画像処理対象物の第１画像を光学的に読取る画像読取手段と、記憶部材から画像処理対象物を識別する識別情報を読取る識別情報読取手段と、識別情報に応じた第２画像と第１画像とを合成して出力する場合に、第２画像の出力領域に応じて縮小される第１画像の大きさを復元して出力するように制御する制御手段と、を有することを特徴とする画像処理装置である。
【０００５】
請求項２に記載の発明は、請求項１に記載の発明において、記憶部材を含む非接触型素子が添付された記録媒体に、第１画像及び第２画像を含む合成画像の第２画像を削除するとともに、合成画像の大きさを復元して印刷する印刷手段と、識別情報を記録媒体の記憶部材に書込む識別情報書込手段と、をさらに有することを特徴としている。
【０００６】
請求項３に記載の発明は、請求項２に記載の発明において、印刷手段が、記録媒体の大きさが画像処理対象物の大きさ相当である場合に、合成画像を、第１画像の大きさ相当で印刷することを特徴としている。
【０００７】
請求項４に記載の発明は、第１画像と、記録媒体を識別する識別情報に応じた第２画像とを一体形成して出力する画像情報に対し、第２画像の出力を削除するとともに、第１画像を第２画像が印刷されるべき領域にまで拡大して記録媒体に印刷する印刷手段と、識別情報を、記録媒体に添付される非接触型素子に含まれる記憶部材に書込む識別情報書込手段と、を有することを特徴とする画像処理装置である。
【０００８】
請求項５に記載の発明は、記憶部材を含む非接触型素子が添付された画像処理対象物の第１画像を光学的に読取る画像読取手段と、記憶部材から画像処理対象物の識別情報を読取る識別情報読取手段と、第１画像に基づく画像情報及び識別情報を暗号化して送信する送信手段と、を備える第１の画像処理装置と、画像情報及び識別情報を受信する受信手段と、記憶部材を含む非接触型素子が添付された記録媒体に、画像情報に基づく第１画像を、識別情報に応じた第２画像が印刷されるべき領域に触れて印刷する印刷手段と、識別情報を記憶部材に書込む識別情報書込手段と、を備える第２の画像処理装置と、を有することを特徴とする画像処理システムである。
【０００９】
請求項６に記載の発明は、コンピュータを、記憶部材を含む非接触型素子が添付された画像処理対象物の第１画像を光学的に読取る画像読取手段と、画像処理対象物を識別する識別情報を記憶部材から読取る識別情報読取手段と、識別情報に応じた第２画像と第１画像とを合成して出力する場合に、第２画像の出力領域に応じて縮小される第１画像の大きさを復元して出力するように制御する制御手段として機能させる画像処理プログラムである。
【００１０】
請求項７に記載の発明は、請求項６に記載の発明において、コンピュータを、記憶部材を含む非接触型素子が添付された記録媒体に、第１画像及び第２画像を含む画像の第２画像を削除するとともに、合成画像の大きさを復元して印刷する印刷手段と、識別情報を記憶部材に書込む識別情報書込手段としてさらに機能させることを特徴としている。
【発明の効果】
【００１１】
請求項１に係る発明によれば、第２画像が出力されることによる第１画像の縮小を抑制することができる。
【００１２】
請求項２に係る発明によれば、識別情報を記録媒体の非接触型素子に書込むとともに、第２画像が印刷される際の画像の縮小を抑制することができる。
【００１３】
請求項３に係る発明によれば、画像処理対象物上の第１画像の大きさ相当で合成画像を記録媒体に印刷することができる。
【００１４】
請求項４に係る発明によれば、第２画像が印刷されることによる第１画像の縮小を抑制することができる。
【００１５】
請求項５に係る発明によれば、識別情報が第１画像に基づく画像情報とともに暗号化されて送信先に行き渡るようになる。
【００１６】
請求項６に係る発明によれば、第２画像が出力されることによる第１画像の縮小を抑制することができる。
【００１７】
請求項７に係る発明によれば、第２画像が印刷されることによる第１画像の縮小を抑制することができる。
【発明を実施するための最良の形態】
【００１８】
以下、本発明の実施形態について、図面を参照して具体的に説明する。
図１は本発明の実施形態に係る画像処理システムの構成図である。画像処理システムは、図１に示すように、複合機１００、印刷装置２００、ＰＣ（Personal Computer）４００等から構成されている。複合機１００、印刷装置２００、ＰＣ４００等は、ケーブルやネットワーク機器等で構成されるネットワーク３００を介して互いに接続される。
【００１９】
複合機１００は、本発明の画像処理装置の一例であって、例えば印刷機能、複写機能、ファクシミリ機能、スキャナ機能、画像情報や電子メール等の送受信機能、ノイズ除去機能、ＯＣＲ(Optical Character Reader)機能等を少なくとも１つ備える機器である。これらの機能は、利用者からの操作に応じて機能する。尚、ＯＣＲ機能とは、光学的に文字を読取る処理をいう。
【００２０】
印刷装置２００は、複合機１００からの指示に応じて、印刷処理を行う。例えば、複合機１００がスキャナ機能を使用して読取った原稿等を画像情報として印刷装置２００に送信し、印刷装置２００は、受信した画像情報を記録用紙等に印刷する。
【００２１】
尚、印刷装置２００は、図面に記載されたものだけに限られず、例えば上述した複合機等であってもよく、また、使用する装置の数についても図面に記載された数だけに限られない。また、ネットワーク４００は、例えば、無線通信等によって通信されるようにしてもよい。
【００２２】
ＰＣ４００は、コンピュータ４１０、出力装置（ディスプレイ）４２０、入力装置（キーボード）４３０等で構成され、例えば、複合機１００がスキャナ機能を使用して読取った原稿等を画像情報としてＰＣ４００に送信し、ＰＣ４００は、受信した画像情報を出力装置４２０に出力する。
【００２３】
さらに上述した複合機１００について図２及び図３を参照して詳細に説明する。
図２は複合機１００の要部構成を示すブロック図、図３は画像フォーマットの概念図である。尚、図２において説明する各機能ブロックは、ＣＰＵ（Central Processing Unit）等の処理装置、ＤＲＡＭ(Dynamic Random Access Memory)、ＳＲＡＭ（Static RAM）、ＲＯＭ(Read Only Memory)等の半導体記憶装置、ＨＤ（Hard Disc）等の磁気ディスク及び所要のソフトウェア等により構成され、ＲＯＭに格納したプログラムをＣＰＵが読み込んで、このプログラムに従った演算をＣＰＵで行うことにより、各装置の機能が実現される。
【００２４】
複合機１００は、図２に示すように、操作部１０１、画像読取部１０２、画像情報生成部１０３、識別情報読取部１０４、識別情報組込部１０５、画像情報記憶部１０６、画像情報送受信部１０７、識別情報書込部１０８、印刷部１０９、出力寸法制御部１１０等から構成される。尚、画像情報生成部１０３、識別情報組込部１０５、出力寸法制御部１１０等から本発明の制御手段が構成される。
【００２５】
操作部１０１は、例えば液晶ディスプレイやスピーカ等で構成される。当該液晶ディスプレイは例えばタッチパネル方式で構成され、画像処理に関する操作内容が出力される。操作内容が利用者によって押下されると、その指示に応じて画像読取部１０２等が機能する。また、各機能に応じた動作が終了した場合には、その旨が液晶ディスプレイに出力されるとともに、その旨を報知する報知音を出力する。尚、画像処理に関する操作は、液晶ディスプレイに対するタッチパネル方式に限らず、タブレット方式や、複合機１００に組み込まれる操作機構に対する押下などであってもよい。
【００２６】
画像読取部１０２は、本発明の画像読取手段の一例であって、レンズ、リニアＣＣＤ（Charge Coupled Device）、ランプ等を搭載したキャリッジで構成される。操作部１０１からの指示に応じて、当該キャリッジが移動し、複合機１００にセットされた原稿１５０の第１画像を光学的に読取る。原稿１５０には第１画像の一例として鉛筆が描画されている。画像読取部１０２が原稿１５０を読取り終えると、読取り結果を画像情報生成部１０３に送信するとともに、読取り終えた旨を操作部１０１に送信する。尚、本実施形態では、画像処理対象物の一例として原稿１５０を使用しているが、画像処理対象物と同等の機能を有していれば原稿に限られることはない。また、原稿１５０の材質は、紙、プラスチック、金属等、特に問われるものではない。
【００２７】
画像情報生成部１０３は、読取り結果となる画像に基づいた画像情報を生成する。画像情報は、例えばビットマップやＸＰＳ（XML Paper Specification）等で構成され、画像情報の先頭である旨を示すヘッダ情報区分、画像情報の最後尾である旨を示すフッター情報区分、読取った画像を格納する一又は複数の画像情報区分等から構成される。
【００２８】
識別情報読取部１０４は、本発明の識別情報読取手段の一例であって、例えばＲＦＩＤリーダ（Radio Frequency Identification Reader）等が該当し、原稿１５０に非接触型素子（ＲＦＩＤタグ）１５０ａが添付されている場合に、当該非接触型素子１５０ａの記憶部材が記憶する識別情報を無線通信により読取る機能を有する。識別情報には、利用者の識別番号、原稿１５０の管理者や管理場所、原稿１５０に記載・描画された内容等が含まれており、例えば識別情報を検知することで機密性の高低が判断されるようになる。
【００２９】
識別情報組込部１０５は、識別情報に応じた第２画像の一例となる二次元符号が第１画像と一体形成されて出力されるように画像情報に組込む。具体的には、図３に示すように、ヘッダ情報区分、フッター情報区分及び各ページの画像情報区分等により画像フォーマットとして構成される画像情報に、二次元符号化情報区分を組み込む。当該二次元符号化情報区分は、図３に示す二次元符号の一例となるＱＲコードを記録用紙１６０等の出力させるための情報が入る区分である。このように、画像情報の一定領域に原稿１５０の非接触型素子１５０ａが有する識別情報が符号化されて構成されるようになる。
【００３０】
尚、二次元符号化情報には、二次元符号が記録用紙１６０に印刷されたり、出力装置４２０に出力されたりした際の寸法に関する情報が含まれており、記録用紙１６０に印刷される第１画像とともに、記録用紙１６０に収まるようにその寸法が決定され、出力装置４２０に出力される第１画像とともに、出力装置４２０に収まるようにその寸法が決定される。また、二次元符号はＱＲコードだけに限られず、ＰＤＦ４１７、ＤａｔａＭａｔｒｉｘ、ＭａｘｉＣｏｄｅ等であってもよい。これらの二次元符号を使用する場合には、これらの二次元符号に応じた読取手段を使用すればよい。
【００３１】
画像情報記憶部１０６は、二次元符号化情報区分を有する画像情報を記憶する。したがって、出力機能を有する手段、例えば印刷装置や出力装置が、画像情報記憶部１０６に接続（アクセス）することで、二次元符号を有する画像を出力するようになる。
【００３２】
画像情報送受信部１０７は、例えばモデム、ターミナルアダプタ、デジタル信号を光信号に変換する手段等で構成され、画像情報を印刷装置２００へ送信したり、印刷装置２００からの制御情報等を受信したりする。画像情報送受信部１０７に接続される機器が複合機である場合には、画像情報等を受信する。画像情報には、識別情報も含まれるため、送信先となる複合機や印刷装置において印刷した際に記録用紙１６０に画像が記録されるとともに、記録用紙１６０に非接触型素子１６０ａが添付されている場合には、その記憶部材に識別情報が書込まれる。このように、画像情報に識別情報が組み込まれ、送信先において当該画像を印刷等するとともに、記録用紙１６０等の非接触型素子１６０ａに識別情報を書込むようにすることで、識別情報が画像とともに伝播されることとなり、さらには、当該識別情報を利用した画像の持ち出し制御が行える。尚、画像情報の送受信においては、ＳＳＬ（Secure Socket Layer）やＳ／ＭＩＭＥ（Secure Multipurpose Internet Mail Extensions）等の暗号化手段により画像情報を暗号化して送受信することが望ましく、また、画像情報送受信部１０７は、送信及び受信の両機能を具備せずに、いずれか一方の機能を具備するようにしてもよい。
【００３３】
識別情報書込部１０８は、本発明の識別情報書込手段の一例であって、例えばＲＦＩＤライタ（Radio Frequency Identification Writer）等が該当し、画像情報に組込まれる識別情報を記録用紙１６０に添付される非接触型素子１６０ａの記憶部材に無線通信により書込む。記録用紙１６０は、本発明の記録媒体の一例であって、その材質は紙だけに限られず、プラスチックや金属等であってもよい。尚、非接触型素子１６０ａについても通信手段を含むようにしてもよい。
【００３４】
印刷部１０９は、本発明の印刷手段の一例であって、レーザー光源、帯電器、反射ミラー、トナーカートリッジ等で構成され、操作部１０１からの指示に応じて、第１画像と第２画像とを含む合成画像を、その第２画像を削除するとともに第１画像の大きさを復元して印刷する。復元された第１画像の大きさは、画像を読取った際の第１画像の大きさ相当であって、望ましくは、同じ大きさであることがよい。ここで、大きさ相当とは、大きさが概ね同じ程度を示し、印刷される際の誤差等も含むものとする。尚、操作部１０１で入力された利用者の識別番号と、二次元符号が有する利用者の識別番号が一致する場合に、印刷部１０９が機能するようにしてもよい。また、二次元符号を含む画像を印刷するようにしてもよい。
【００３５】
出力寸法制御部１１０は、二次元符号の出力領域に応じて縮小される前記第１画像の大きさを復元して出力するように制御する。したがって、ＰＣ４００では、その出力装置４２０において第１画像が縮小されることが抑制されて出力されるようになる。
【００３６】
続いて、複合機１００の動作について図４から図６を参照して説明する。
図４は複合機１００における画像情報生成処理の一例を示すフローチャートである。
複合機１００は、まず、利用者からの操作に応じて自身に配置された原稿１５０上の第１画像を光学的に読取り（ステップＳ１）、当該画像に応じた画像情報を生成する（ステップＳ２）。尚、原稿１５０が複数枚で構成されている場合には、原稿１５０を一度の操作で複数枚を連続して読取るように制御し、複数の第１画像を含む一つの画像情報とするようにしてもよい。
【００３７】
複合機１００は、さらに、原稿１５０に非接触型素子１５０ａが添付されており、当該非接触型素子１５０ａの記憶部材に識別情報が含まれているか否か識別情報読取部１０４を介して判断する（ステップＳ３）。
【００３８】
複合機１００は、原稿１５０に識別情報が含まれていると判断した場合には、当該識別情報を読取る（ステップＳ４）。当該読取処理は無線通信等の非接触で行われる。さらに、複合機１００は、ステップＳ２の処理において生成された画像情報に対し、識別情報を組み込む（ステップＳ５）。当該組込処理は、識別情報が記録用紙１６０に印刷された際に第２画像としての二次元符号が形成されるように、画像情報に組み込まれる。例えば、記録用紙１６０に非接触型素子１６０ａが添付されていない場合には、識別情報が二次元符号として記録用紙１６０に印刷される。一方で、複合機１００は、原稿１５０に識別情報が含まれていないと判断した場合には、処理を終了する。
【００３９】
図５は複合機１００における印刷処理の一例を示すフローチャート、図６は記録用紙１６０における印刷例である。
複合機１００は、まず、利用者からの操作に応じて画像情報に応じた画像の印刷処理を開始し（ステップＳ１１）、さらに、当該画像情報に識別情報が組み込まれているか否かを判断する（ステップＳ１２）。
【００４０】
複合機１００は、画像情報に識別情報が組み込まれている判断した場合には、さらに、記録用紙１６０に非接触型素子１６０ａが添付されているか否かを判断する（ステップＳ１３）。
【００４１】
複合機１００は、記録用紙１６０に非接触型素子１６０ａが添付されていると判断した場合には、画像情報に組み込まれた識別情報を非接触型措置１６０ａに書込みつつ（ステップＳ１４）、第２画像としての二次元符号が印刷されないように制御し、画像を二次元符号印刷領域にまで拡大して、記録用紙１６０に印刷する。尚、識別情報の書込処理は、画像の記録用紙１６０への印刷途中、印刷前、印刷後のいずれでもよい。この結果、画像は、図６（ａ）に示すように、原稿１５０に出力されていた画像と同程度の寸法で記録用紙１６０に印刷されるとともに、非接触型素子１６０ａに識別情報が書込まれることとなる。
【００４２】
複合機１００は、記録用紙１６０に非接触型素子１６０ａが添付されていないと判断した場合には、画像情報に組み込まれた識別情報を二次元符号として記録用紙１６０に印刷するとともに（ステップＳ１５）、二次元符号の記録用紙１６０への印刷領域に触れない程度にまで画像を縮小し、記録用紙１６０に当該画像を印刷する。この結果、第１画像は、図６（ｂ）に示すように、二次元符号が印刷されるとともに、第１画像が縮小されて印刷されることとなる。
【００４３】
複合機１００は、ステップＳ１２の処理において、画像情報に識別情報が組み込まれていないと判断した場合には、記録用紙１６０に画像を印刷して、処理を終了する。
【００４４】
さらに、画像情報を出力装置４２０に出力した場合について図７を参照して説明する。
図７は出力装置４２０における出力例を説明するための図である。
上述した実施形態では、印刷処理における印刷例を参照して説明したが、出力装置４２０における出力処理においても同様の結果を得る。例えば、図７（ａ）に示すように、二次元符号を出力させないように制御することで、出力装置４２０は、複合機１００が第１画像を読取処理した際と同程度の寸法の第１画像を出力することとなる。
【００４５】
一方で、図７（ｂ）に示すように、二次元符号を出力するように制御する場合には、二次元符号を出力するための二次元符号出力領域を確保するため、当該二次元符号出力領域に触れない程度にまで第１画像を縮小して出力することとなる。
【００４６】
尚、本発明は、上述した実施形態に限定されるものではなく、その要旨を逸脱しない範囲内で種々変形して実施することが可能である。例えば、本発明のプログラムを通信手段により提供することはもちろん、ＣＤ−ＲＯＭ等の記録媒体に格納して提供することも可能である。
【産業上の利用可能性】
【００４７】
以上説明したように、本発明によれば、二次元符号が出力されることで、出力装置等に出力等されるべき画像が縮小されることを抑制でき、産業上の利用可能性が高い。
【図面の簡単な説明】
【００４８】
【図１】画像処理システムの構成図である。
【図２】複合機の要部構成を示す機能ブロック図である。
【図３】画像フォーマットの概念図である。
【図４】複合機における画像情報生成処理の一例を示すフローチャートである。
【図５】複合機における印刷処理の一例を示すフローチャートである。
【図６】記録用紙における印刷例を説明するための図である。
【図７】出力装置における出力例を説明するための図である。
【符号の説明】
【００４９】
１００  複合機
１０１  操作部
１０２  画像読取部
１０３  画像情報生成部
１０４  識別情報読取部
１０５  識別情報組込部
１０６  画像情報記憶部
１０７  画像情報送受信部
１０８  識別情報書込部
１０９  印刷部
１１０  出力寸法制御部
１５０  原稿
１６０  記録用紙
１５０ａ、１６０ａ  非接触型素子（ＲＦＩＤタグ）
２００  印刷装置
３００  ネットワーク
４００  ＰＣ
４１０  コンピュータ
４２０  出力装置（ディスプレイ）
４３０  入力装置（キーボード）
【図１】
2008172369.tif 000003
【図２】
2008172369.tif 000004
【図３】
2008172369.tif 000005
【図４】
2008172369.tif 000006
【図５】
2008172369.tif 000007
【図６】
2008172369.tif 000008
【図７】
2008172369.tif 000009